(57)【特許請求の範囲】
【請求項１】
携帯端末や電化製品の筐体もしくは本体ケースに内蔵される平板アンテナであって、
導体平板の一部分を特定の幅と長さで削除してスリット部を形成し、該スリット部を境にモノポール形状の放射素子部とその放射素子部より面積の大きなグランド部を形成し、前記放射素子部に給電線路の一方を接続し、前記グランド部に給電線路の他方を接続し、前記放射素子部の長さ方向とは異なる方向の導体平板の長さ方向に形成され、前記放射素子部と前記グランド部とを繋げる導体部分をその一部として有するもう１つの放射部を電気的に構成し、該放射素子部と該放射部の２つのモノポールアンテナからそれぞれ異なる偏波成分の電波を放射することを特徴とする平板アンテナ。
【請求項２】
所定の励振特性および所定の指向特性が得られるように前記放射素子部の長さａと前記該導体平板の長さｂが定められていることを特徴とする請求項１に記載の平板アンテナ。
【請求項３】
所定の励振特性および所定の指向特性が得られるように、前記放射素子部の長さと、前記放射素子部の長さ方向に沿った前記グランド部の幅に差を持たせることを特徴とする請求項２に記載の平板アンテナ。
【請求項４】
前記放射素子部の長さは、使用周波数の概ね１／４波長の奇数倍に設定されていることを特徴とする請求項１から３のいずれかに記載の平板アンテナ。
【請求項５】
単線もしくは複数本の撚り合せからなる内導体と該内導体の外周に位置する外導体を有する同軸線路をアンテナへの給電線路とし、前記放射素子部と前記グランド部に、前記同軸線路の一方端における内導体と外導体がそれぞれ接続されていることを特徴とする請求項１記載の平板アンテナ。
【請求項６】
前記導体平板は、絶縁性の土台上に形成された導体平面で形成され、その導体平面にスリット部を境に放射素子部とグランド部が形成され、スリット部にあたる土台部分を空洞にし、放射素子部とグランド部にそれぞれ導体線路を前記土台の空洞を通して下方に延ばし、その導体線路を給電線路とした請求項１記載の平板アンテナ。
【請求項７】
基盤上に形成された配線パターンをアンテナへの給電線路とし、前記放射素子部および前記グランド部から延ばされた導体線路と配線パターンの給電線路が電気的に接続されてなることを特徴とする請求項６に記載の平板アンテナ。
【請求項８】
筐体もしくは本体ケース内の設置位置の形状または状況により前記導体平板の形状を変形させてあることを特徴とする請求項１に記載の平板アンテナ。
【請求項９】
前記導体平板の形状が立体的であることを特徴とする請求項８に記載の平板アンテナ。
【請求項１０】
請求項１の平板アンテナを筐体に内蔵させたことを特徴とする電気機器。
【請求項１１】
請求項１の平板アンテナの二つを筐体もしくは本体ケースに内蔵させたことを特徴とする電気機器。
【請求項１２】
二つの平板アンテナは、筐体もしくは本体ケースに背中合わせに内蔵される請求項１１に記載の電気機器。
【請求項１３】
内蔵される平板アンテナは、所定の励振特性および所定の指向特性が得られるように、前記放射素子部の長さと、前記放射素子部の長さ方向に沿った前記グランド部の幅に差を持たせて形成される請求項１０から１２のいずれかに記載の電気機器。
【発明の詳細な説明】
【０００１】
【発明の属する技術分野】
本発明は、導体平板で構成され、且つ小型で薄型であり、携帯端末や電化製品等の電気機器あるいは壁等に内蔵することも容易な平板アンテナおよびそれを備えた電気機器に関する。
【０００２】
【従来の技術】
近年、基地局用や衛星放送用などの大型アンテナを除き、携帯電話やモバイルコンピュータなど（以下、一括して携帯端末と略す）をはじめとする専用の各種アンテナの小型化が盛んに行われている。特に小型化が求められる携帯端末用のアンテナは、その端末自身の小型化に伴い、設置用スペースの問題、さらにアンテナ体積の制約に反した性能の要求などの問題を抱えている。また、最近盛んに検討されている家庭内における無線ネットワーク構想においても、室内壁面へのアンテナの導入やパーソナルコンピュータや電化製品（以下、一括して電化製品と略す）などへのアンテナの導入に伴い、そのアンテナ自身の大きさにも同様な問題が起こっている。
【０００３】
上記の問題は、携帯端末や電化製品において、その筐体もしくは本体ケース（以下、一括して筐体と略す）内に専用のアンテナを内蔵する場合、新たに専用のスペースを確保しなければならないことが要因となる。さらに製品の小型化や軽量化が伴う場合、当然のことながらアンテナ自身の小体積化や軽量化も必要となり、これにより要求されるアンテナの性能を満たすことが困難になる。すなわち、アンテナを筐体に内蔵し、且つ性能を確保するためには、筐体内にそれなりの設置スペースの確保が必要になり、この結果これまで使用してきた各仕様の変更などで、製品の製造コストの高上や開発期間の長期化などが発生することになる。そのため、この問題を回避するため、その殆どが本体の筐体外部に別筐体などを使用し、且つ別途ケーブルなどを使用して取り付ける外付けアンテナが使用されている。しかしこの方法では、その携帯端末や電化製品を移動した際、外付けアンテナを一度取り外さなければならない場合が多々あり、さらに再設置や再調整などの手間も発生し、場合によってはケーブル等の引き回しや予期せぬトラブルでのアンテナ故障、さらにこれら携帯端末や電化製品の設置位置の自由度が制限されるなどの使用者には常に煩わしさが付きまとうことになる。
【０００４】
【発明が解決しようとする課題】
以上のことより、携帯端末や家庭内での無線ネットワーク用家電品に内蔵される各専用のアンテナは、製品の製造コストの高上や開発期間の長期化などを生じることなく安易に導入でき、さらに使用者の煩わしさを軽減することを達成するものでなくてはならない。さらに、アンテナ自身も低コストである必要もある。
【０００５】
本発明の目的は，小スペースで携帯端末や電化製品或いは壁等に内蔵でき、低コストで且つ性能が確保されている平板アンテナおよびそれを備えた電気機器を提供することにある。
【０００６】
【課題を解決するための手段】
上記課題を解決するために、本発明の平板アンテナは、携帯端末や電化製品の筐体もしくは本体ケースに内蔵される平板アンテナであって、
導体平板の一部分を特定の幅と長さで削除してスリット部を形成し、該スリット部を境にモノポール形状の放射素子部とその放射素子部より面積の大きなグランド部を形成し、前記放射素子部に給電線路の一方を接続し、前記グランド部に給電線路の他方を接続し、前記放射素子部の長さ方向とは異なる方向の導体平板の長さ方向に形成され、前記放射素子部と前記グランド部とを繋げる導体部分をその一部として有するもう１つの放射部を電気的に構成し、該放射素子部と該放射部の２つのモノポールアンテナからそれぞれ異なる偏波成分の電波を放射するようにしたことにある。
【０００８】
所定の励振特性および所定の指向特性が得られるように前記放射素子部の長さと前記該導体平板の長さが定められている。
【０００９】
所定の励振特性および所定の指向特性が得られるように前記放射素子部の長さと前記グランド部の幅に差を持たせることが好ましい。
【００１０】
前記放射素子部の長さは、使用周波数の概ね１／４波長の奇数倍に設定されていることが好ましい。
【００１１】
ここで、使用周波数とは、本発明の平板アンテナをある筐体に内蔵した場合、その筐体内蔵位置で決定される使用周波数であり、本発明の平板アンテナを壁等に敷設した場合、その敷設状況化で決定される使用周波数である。
【００１２】
上記したコの字型の形状とは、以下に示す給電構造の変形から前記放射素子部と前記グランド部の位置関係が常に同距離な平行でなくてもよい。
【００１３】
前記放射素子部の一部分から導体線路を延ばし、前記放射素子部と一体的に形成されてなる該導体線路をアンテナへの給電線路の一部分としてもよい。
【００１４】
前記グランド部の一部分から導体線路を延ばし、前記グランド部と一体的に形成されてなる該導体線路をアンテナへの給電線路の一部分としてもよい。
【００１５】
前記導体平板として、絶縁性の土台上に形成された導体平面を用いてもよい。
【００１６】
前記導体平面は、土台上にめっき材などを塗布するなどの加工方法により形成することができる。
【００１７】
設置位置の形状または状況により前記導体平板の形状を変形させるようにしてもよい。例えば、前記導体平板の形状を立体的にしてもよいし、前記導体平板の外縁の一部または全部を曲線状に形成してもよい。
【００１８】
前記放射素子部および前記グランド部に、アンテナへ給電するための給電線路が接触して電気的に接続するようにしてもよい。
【００１９】
基盤上に形成された配線パターンをアンテナへの給電線路とし、前記放射素子部および前記グランド部に該給電線路を電気的に接続するようにしてもよい。
【００２０】
単線もしくは複数本の撚り合せからなる内導体と該内導体の外周に位置する外導体を有する同軸線路をアンテナへの給電線路とし、前記放射素子部と前記グランド部に、前記同軸線路の一方端における内導体と外導体をそれぞれ接続するようにしてもよい。
【００２１】
前記放射素子部の一部分と前記グランド部の一部分とを前記同軸線路の内導体と外導体とでそれぞれ接続する場合、通電性のあるはんだ材等による融着接続だけではなく、コネクタ等の使用による接続もその使用目的に合わせ選択できる。
【００２２】
放射素子部と給電線路とを接続する放射素子部途中の位置は、インピーダンス整合を考慮して決定されるのが好ましい。また、グランド部と給電線路とを接続するグランド部途中の位置も、インピーダンス整合を考慮して決定されるのが好ましい。
【００２３】
上記した平板アンテナは、１又は２つ或いは複数、電気機器の筐体もしくは本体ケースに内蔵して使用する。
【００２４】
本発明の平板アンテナは、携帯端末等の筐体内において、隙間程度のスペースでも設置が可能な小型、且つ薄型であり、さらに低コスト、そして内蔵した製品における水平面において、内蔵したアンテナの指向性が、無指向的に動作し得るという機能を有する。
【００２５】
また、本発明の平板アンテナによれば、他のアンテナを近傍に配置させる場合に、他のアンテナとの干渉を生じさせないように、他のアンテナと対向する側と対向しない側のバランスを変えて指向特性の制御が行えるため、アンテナ特性を大きく崩さずに他のアンテナとの設置間隔を狭くすることができる。
【００２６】
【発明の実施の形態】
以下、本発明の一実施の形態を添付図面に基づいて説明する。
【００２７】
本発明の平板アンテナの特徴を、図１から図２を用いて説明する。
【００２８】
本発明の平板アンテナは、図１のように幅ａ、長さｂの導体平板１に幅ｃで長さｄのスリット部２を形成し、このスリット部２を境にモノポールアンテナ形状の放射素子部３とアンテナのグランド部（幅ｇ）４を形成している。このとき導体平板１の幅ａ（放射素子部３の長さ）は、使用周波数の概ね１／４の奇数倍としている。なお、上記の使用周波数は、本発明の平板アンテナを製品筐体に内蔵した場合、筐体を構成する誘電体性の材料や他の導体部分の配置により決定される本発明の平板アンテナ設置位置での周波数を使用する。また、スリット部２の幅ｃ、放射素子部３の幅ｅ、そして放射素子部３とグランド部４を繋げる導体部の幅ｆは、要求されるアンテナ特性に従い、そのサイズが決定されるものである。
【００２９】
次に図２のように、放射素子部３とグランド面４とに区別された両部分においては、インピーダンス整合を考慮した位置で放射素子部３の一部分と同軸線路５の内導体５１とを接続し、さらに同軸線路５の外導体５２とグランド面４の一部分とを接続することで給電構造を構成している。なお、これら接続は通電性のあるはんだ材等による融着接続、あるいは通電性を保持し得る形状の専用のコネクタやステイなどを用いてもよい。そして実施例にも示すように給電構造を変形することで、接触型や基板上設置型の給電方法も使用できる。
【００３０】
また、この構造は図３に示すように、スリット部２により構造上不連続部となる放射素子部３の長さ方向と略直角な方向に、放射素子部３とグランド部４を繋げる導体部の幅ｆの部分を通る長さが約ｂの放射部と成すもう１つのモノポールアンテナを電気的に構成するものである。すなわち、給電構造の位置を給電点とし、放射素子部３の長さａと導体平板１の長さｂのそれぞれに電気的な整合を決定できる構造になっている。そのため、放射素子部３の長さａに合わせ導体平板１の長さｂを調整することで、放射素子部３の長さ方向と略直角な方向に上記幅ｆの導体部を通る電気的整合の良好な、もう１つのモノポールアンテナを電気的に形成することができる。
【００３１】
その一例として、放射素子部３の長さａと導体平板１の長さｂを同様にした場合、図４〜図５に示すような良質な励振特性および指向特性（ｘｙ面、Hor.：水平偏波、Ver.：垂直偏波）を持つ平板アンテナ６を実現できる。
【００３２】
また、放射素子部３の長さａに対して、導体平板１の長さｂもしくは導体平板１の幅ｇを調整することで、図４の励振特性の有用的な帯域を広げ、また図５の指向特性を使用目的に合わせ傾けることも可能であるが、その詳細は本発明の実施例で説明する。
【００３３】
また、本発明の平板アンテナに使用した同軸線路の一方端を、本平板アンテナを内蔵する製品に別途設けられた給電回路もしくはその中継回路に接続し、給電線路としての機能を持たせることで、小型で且つ薄型であり、さらに設置自由度の広い平板アンテナを実現できる。
【００３４】
また、給電線路として同軸線路を使用しているため、製品内部に配置された他の機器類に対し、この給電線路は邪魔にならないように本体内部で自由に引き回すことができる。さらにその長さに関しても制約が発生しない。
【００３５】
以上のことにより、携帯端末や家庭内での無線ネットワーク用家電品の製品筐体や各種部品の設置位置などの仕様に関し、大きな変更を必要とせず、さらに筐体内の隙間程度のスペースでも内蔵でき、低コストで且つ性能が確保されているアンテナを実現できる。
【００３６】
また、上記平板アンテナを携帯端末や家庭内での無線ネットワーク用家電品の内部に設置すれば、これら製品の移動などの際、外付けアンテナの取り外し、再設置や再調整、そしてケーブル等の引き回しや予期せぬトラブルでのアンテナ故障などの使用者に常に付きまとっていた煩わしさを解消し、さらに本発明の良質な特性から、製品設置位置に関して選択の自由度をより広くできる効果も実現できる。
【００３７】
【実施例】
以下、本発明の実施例を各図により説明する。
（実施例１）
本発明の第１実施例を図６〜図８により説明する。図６は、本発明の平板アンテナ６１の放射素子部３の長さａと導体平板の長さｂ（放射素子部３と直交する方向の長さ）を同様にし、グランド部４の幅ｇ（放射素子部３の長さ方向）を放射素子部３の長さａよりも大きくした場合の構造を示している。このとき、放射素子部３の長さａは、使用周波数の概ね１／４波長としている。図６のように、放射素子部３の長さａとグランド部４の幅ｇが差Δで異なる部分７（以下、ギャップと定義する）が存在することにより、スリット部２に発生する電磁界が、整合をとるためにギャップ７の大きさに対応して傾くことになる。その結果、ギャップ７がない場合には、図５のような指向特性になるのに対し、本実施例では、図７のように指向特性がギャップ７の存在する方向にシフトさせることが可能となる。なお、このときの励振特性は図８のようになり、図５に比べ有用的な帯域が大幅に広く、且つ良好な特性が得られている。また、このギャップ７の広さΔを操作することで図７の指向特性をさらにシフトさせることができる。
（実施例２）
本発明の第２実施例を図９〜図１０により説明する。図９は、実施例１の構造において、ギャップ７の大きさを固定し、導体平板１の長さｂを変化させた場合の実施例を示している。この場合、導体平板１の長さｂの変化に伴い、放射素子部３とグランド部４を繋げる導体部を通って放射素子部３の長さ方向と略直角な方向に電気的に存在するもう１つのモノポールアンテナの定在波比が変化し、これによりギャップ７によるスリット部２で成分の傾いた電磁界成分をより傾けることが可能となる。その結果、図１０に示すように導体平板１の長さの変化に伴い、実施例１と同様にギャップ７の存在する方向に指向特性をシフトさせ、さらにギャップ７の無い方向の指向特性を抑制できることが判る。すなわち導体平板１の長さｂにより、その指向特性を制御できることが可能となっている。なお、このときの励振特性は実施例１と同様に有用的な帯域が広く、且つ良好な特性が得られているが、ここではその表示は割愛する。
（実施例３）
本発明の第３実施例を図１１、図１２により説明する。図１１は、実施例１および実施例２で示した平板アンテナ６１において、導体平板１の長さｂを長めに形成し、一般的なノート型パーソナルコンピュータ８（以下、ノート型パソコンと略す）のＬＣＤ上にその平板アンテナ６１を２つ、スリット部の開放端側が外側となるよう背中合わせに配置した場合の外観を示している。図１１では、平板アンテナ６１の放射素子部３をＬＣＤ９上に出し、グランド部４の大半をＬＣＤ９の背面に隠すように、ノート型パソコン８のＬＣＤ９背面側の筐体との隙間に置いている。このとき平板アンテナ６１の固定は、ノート型パソコン８の筐体に直接セロハンテープや両面テープのような接着材付きテープもしくは接着材、あるいは専用の固定用具で行っている。さらに給電に使用する同軸線路は、この隙間でも自由に動かせる細径のものを使用し、本発明の平板アンテナ６１同様にＬＣＤ９の背面とノート型パソコン８のＬＣＤ９背面側の筐体との隙間を通している。なお、このとき、本発明の平板アンテナ６１の各部のサイズは、ノート型パソコン８の筐体等に使用されている各種材料の誘電率やＬＣＤ９などに使用されている導体部品の影響を加味し、実際に内蔵した際の使用周波数に合わせ、且つ良好な励振特性が得られるように決定されている。
【００３８】
次に、本発明の平板アンテナ６１を実際に内蔵し、指向特性を測定した結果を図１２に示す。図１２より、水平偏波と垂直偏波の組み合わせにより、ノート型パソコンの水平方向（ｘｙ面）に対し、本発明の平板アンテナ６１それぞれの配置を反映した対称的で且つ良好な指向特性を得られていることが判る。なお、図５等の指向特性と比較した場合、指向性の形が変化しているが、これはノート型パソコン８の筐体に使用されている誘電体材料やＬＣＤ９等に使用されている導体部品などによる影響である。しかしながらこの特性は、実際の無線ＬＡＮ等の使用では、遜色のない特性となっている。また、本発明の平板アンテナ６１と同軸線路５を接続している面をノート型パソコン８のＬＣＤ９背面側の筐体に向けても特性に大きな変化は生じない。さらに、本発明の平板アンテナ６１とＬＣＤ９等との直接的な通電を絶縁するために、本発明の平板アンテナ６１全体をラミネート材等の絶縁性フィルムで覆っても特性に大きな変化は生じない。
（実施例４）
本発明の第４実施例を図１３、図１４により説明する。図１３は、実施例３における本発明の平板アンテナ６１の配置を変更した場合の外観を示している。本発明の平板アンテナ６１は、実施例１および２で示したように、指向特性をシフトさせ、且つ特定の方向の指向特性を抑制することが可能である。そのため複数のアンテナを隣接して設置する場合には、本発明の平板アンテナ６１では隣接するアンテナ間で発生する電磁干渉を抑制でき、その結果通常のアンテナよりもその設置間の距離を短くすることができる。その結果、図１３のような狭い空間でも設置が可能になる。
【００３９】
図１３に示すように本発明の平板アンテナ６１を隣接して設置し、ノート型パソコン８に内蔵した場合の、実際の指向特性測定結果を図１４に示す。図１４より本実施例においても、実施例３同様に良好な指向特性を得られていることが判る。なお本実施例で、実施例３のように本発明の平板アンテナ６１それぞれの配置を反映して指向特性が対称的にならないのは、図１３に示すようなノート型パソコン８に敷設されたＬＣＤ９上部の画面開閉に使用されるロック部１０の影響である。
（実施例５）
本発明の第５実施例を図１５、図１６により説明する。図１５は、実施例１および２に示した本発明の平板アンテナ６１のグランド部を変形させ、ノート型パソコン８のＬＣＤ９の導体で構成されたＬＣＤの導体枠９１に直接はめ込むことのできる平板アンテナ６２とこれを実際に設置した部分の外観を示している。これは、導体で構成されたＬＣＤの導体枠９１を本発明の平板アンテナ６２のグランドとして作用させることを目的としている。なお、本実施例においても実施例３および４と同様に、平板アンテナ６２の各部サイズは、ノート型パソコン８の筐体等に使用されている各種材料の誘電率やＬＣＤ９などに使用されている導体部品の影響を加味し、実際に内蔵した際の使用周波数に合わせ、且つ良好な励振特性が得られるように決定されている。
【００４０】
図１５の本発明の平板アンテナ６２を実施例３と同様の配置でノート型パソコン８に内蔵した場合の実際の指向特性測定結果を図１６に示す。図１６より、本実施例においても、実施例３および４と同様に良好な指向特性が得られている。
（実施例６）
本発明の第６実施例を図１７により説明する。図１７は、実施例１および２に示した本発明の平板アンテナ６１の給電構造を変形させた平板アンテナ６３を示している。放射素子部３からインピーダンス整合を考慮した位置で、導体線路１１をグランド部４に向けて延ばし、この導体線路１１と同軸線路５の内導体５１とを接続し、さらにグランド部４には、放射素子部３から延ばされた導体線路１１がグランド部４と接触しないように切り欠き部を形成し、同軸線路５の外導体５２とグランド部４の一部分とを接続した構造である。この構造により、同軸線路５の方向を図１７（ａ）のように平板アンテナ６３の長さ方向にしたり、図１７（ｂ）（ｃ）のように平板アンテナ６３の幅方向にしたりすることができ、同軸線路５を折ることなく配置できる方向の自由度を広げることが可能となる。なお、本実施例を実施例３もしくは４同様に、ノート型パソコンに内蔵した場合でも良好な指向特性が得られるがここではその結果の表示は割愛する。
（実施例７）
本発明の第７実施例を図１８により説明する。図１８は、実施例１および２に示した本発明の平板アンテナ６１の給電構造を変形させた平板アンテナ６４を示している。放射素子部３からインピーダンス整合を考慮した位置で、導体線路１１をグランド部４に向けて延ばし、さらにグランド部４からもインピーダンス整合を考慮した位置で導体線路１２を放射素子部３に向けて延ばし、放射素子部３から延びた導体線路１１と同軸線路５の内導体５１とを接続し、さらにグランド部４から延びた導体線路１２と同軸線路５の外導体５２を接続した構造である。この構造により、同軸線路５を折ることなく平板アンテナ６４の幅方向に同軸線路５を配置することが可能となる。なお、本実施例を実施例３もしくは４同様に、ノート型パソコンに内蔵した場合でも良好な指向特性が得られているがここではその結果の表示は割愛する。
（実施例８）
本発明の第８実施例を図１９により説明する。図１９は、実施例１および２に示した本発明の平板アンテナ６１の給電構造を変形させ、平面的な土台１３上に構成した本発明の平板アンテナ６５を示している。平板アンテナ６５は、土台１３上にめっき材などを塗布するなどの加工法により形成することができる。土台１３は、平板アンテナ６５のスリット部２にあたる部分を空洞にし、放射素子部３からインピーダンス整合を考慮した位置で導体線路１１を、そしてグランド部４からもインピーダンス整合を考慮した位置で導体線路１２を土台１３の下方に向けて延ばし、土台の下から給電できる構造としている。この構造は、携帯電話への内蔵やある特定な場所への固定を可能とした構造である。なお土台１３は、絶縁性からなり、平板アンテナ６５に求められるサイズの小型化等に伴い、その材料（誘電率）を選択することが好ましい。また、基盤上に形成された配線パターン（図示せず）を平板アンテナ６５への給電線路とし、基板上に土台１３を搭載することによって、配線パターンと上記導体線路１１、１２をそれぞれ接続するようにしてもよい。
（実施例９）
本発明の第９実施例を図２０により説明する。図２０は、設置位置の形状または状況により導体平板の形状を立体的に変形させた平板アンテナ６６、６７を示している。平板アンテナ６６、６７の放射素子部３とグランド部４の両方に加工が施されており、導体平板の全面が湾曲状に形成されている。
（実施例１０）
本発明の第１０実施例を図２１により説明する。図２１は、設置位置の形状または状況により導体平板の形状を立体的に変形させた平板アンテナ６８、６９を示している。平板アンテナ６６、６７の放射素子部３とグランド部４の両方に加工が施されており、導体平板が円筒状に形成されている。図２１（ａ）に示された平板アンテナ６８は、放射素子部３の長さ方向（すなわち、グランド部４の幅方向）に対して曲げ加工を施したものであり、図２１（ｂ）に示された平板アンテナ６９は、導体平板の長さ方向に対して曲げ加工を施したものである。
（実施例１１）
本発明の第１１実施例を図２２により説明する。図２２は、設置位置の形状または状況により導体平板の形状を立体的に変形させた平板アンテナ７０、７１を示している。図２２（ａ）に示された平板アンテナ７０は、グランド部４の幅方向に折り目が１つ設けられるように折り曲げられて形成されている。図２２（ｂ）に示された平板アンテナ７１は、導体平板の長さ方向に折り目が１つ設けられるように放射素子部３とグランド部４をそれぞれ１ヵ所折り曲げて形成されている。
（実施例１２）
本発明の第１２実施例を図２３により説明する。図２３は、設置位置の形状または状況により導体平板の形状を立体的に変形させた平板アンテナ７２〜７５を示している。図２３（ａ）に示された平板アンテナ７２は、グランド部４の幅方向に折り目が２つ設けられるように折り曲げられて形成されている。図２３（ｂ）に示された平板アンテナ７３は、導体平板の長さ方向に折り目が２つ設けられるように放射素子部３とグランド部４をそれぞれ２ヵ所折り曲げて形成されている。図２３（ｃ）に示された平板アンテナ７４は、グランド部４の幅方向に折り目が３つ設けられるように折り曲げられて形成されている。図２３（ｄ）に示された平板アンテナ７５は、導体平板の長さ方向に折り目が３つ設けられるように放射素子部３とグランド部４をそれぞれ３ヵ所折り曲げて形成されている。
【００４１】
平板アンテナの形状は、上述した各実施例の形状に限らず、平板アンテナを設置する設置位置の形状または状況により、それに応じた種々形状のものを用いることができる。放射素子部とグランド部が、位置付けられれば、導体平板の形状は様々なものに変形してもよい。また、放射素子部の長さは、使用周波数の概ね１／４波長の奇数倍とすればよく、グランド部の幅と同じでなくてもよい。
【００４２】
これにより、平板アンテナを設置する内蔵位置のスペースもしくは構造に柔軟に適応可能となり、小型化を達成できる。さらに、平板アンテナの構造が自由に選べることから、要求される指向特性に柔軟に対応可能となる。
【００４３】
なお、平板アンテナの形状を変形させた場合においても、平板アンテナの各部サイズは、平板アンテナが設置される筐体等に使用されている各種材料の誘電率や導体部品の影響を加味し、実際に内蔵した際の使用周波数に合わせ、且つ良好な励振特性が得られるように決定される。
【００４４】
上記した本発明の実施例１〜１４の平板アンテナによれば、従来技術による携帯端末や家庭内における無線ネットワーク用機器（電化製品）で使用される本体の筐体外部に別筐体などを使用し、且つ別途ケーブルなどを使用して取り付ける外付けアンテナに代わり、移動の際に生ずるアンテナ取り外しや再設置、再調整などの手間を無くし、且つアンテナ自身の破損を防ぐことができ、さらに携帯端末や電化製品の設置位置の自由度を広げ、さらに製品の製造コストの高上や開発期間の長期化などの原因となる筐体や各種部品の設置位置等の仕様を大きく変更させることなく、さらに筐体内の隙間程度のスペースでも内蔵でき、低コストで且つ性能が確保されているアンテナを提供することが可能になる。
【００４５】
【発明の効果】
本発明によれば、次のように優れた効果を発揮する。
【００４６】
小スペースで携帯端末や電気機器の筐体もしくは本体ケースに内蔵でき、低コストで且つ性能が確保されている平板アンテナおよびそれを備えた電気機器を提供することができる。
【図面の簡単な説明】
【図１】  本発明の平板アンテナで使用する導体平板の構造図。
【図２】  本発明の平板アンテナの構造図。
【図３】  本発明の平板アンテナの電気的な構造図。
【図４】  本発明の平板アンテナの励振特性を示す図。
【図５】  本発明の平板アンテナの指向特性を示す図。
【図６】  本発明の実施例１に係わる平板アンテナの構造図。
【図７】  本発明の実施例１に係わる平板アンテナの指向特性を示す図。
【図８】  本発明の実施例１に係わる平板アンテナの励振特性を示す図。
【図９】  本発明の実施例２に係わる平板アンテナの構造図。
【図１０】  本発明の実施例２に係わる平板アンテナの指向特性を示す図。
【図１１】  本発明の実施例３に係わる平板アンテナを内蔵した一般的なノート型パーソナルコンピュータ内部の概観図。
【図１２】  本発明の実施例３に係わる平板アンテナを一般的なノート型パーソナルコンピュータに内蔵させたときの指向特性を示す図。
【図１３】  本発明の実施例４に係わる平板アンテナを内蔵した一般的なノート型パーソナルコンピュータ内部の概観図。
【図１４】  本発明の実施例４に係わる平板アンテナを一般的なノート型パーソナルコンピュータに内蔵させたときの指向特性を示す図。
【図１５】  本発明の実施例５に係わる平板アンテナの斜視図。
【図１６】  本発明の実施例５に係わる平板アンテナを一般的なノート型パーソナルコンピュータに内蔵させたときの指向特性を示す図。
【図１７】  本発明の実施例６に係わる平板アンテナの構造図。
【図１８】  本発明の実施例７に係わる平板アンテナの構造図。
【図１９】  本発明の実施例８に係わる平板アンテナの斜視図。
【図２０】  本発明の実施例９に係わる平板アンテナの斜視図。
【図２１】  本発明の実施例１０に係わる平板アンテナの斜視図。
【図２２】  本発明の実施例１１に係わる平板アンテナの斜視図。
【図２３】  本発明の実施例１２に係わる平板アンテナの斜視図。
【符号の説明】
１  導体平板
２  スリット部
３  放射素子部
４  グランド部
５  同軸線路
５１  内導体
５２  外導体
６、６１〜８１  平板アンテナ
７  ギャップ
８  ノート型パソコン
９  ＬＣＤ（液晶ディスプレイ）
９１  ＬＣＤの導体枠
１０  ロック部
１１、１２  導体線路
１３  土台
【図１】
0003830358.tif 000002
【図２】
0003830358.tif 000003
【図３】
0003830358.tif 000004
【図４】
0003830358.tif 000005
【図５】
0003830358.tif 000006
【図６】
0003830358.tif 000007
【図７】
0003830358.tif 000008
【図８】
0003830358.tif 000009
【図９】
0003830358.tif 000010
【図１０】
0003830358.tif 000011
【図１１】
0003830358.tif 000012
【図１２】
0003830358.tif 000013
【図１３】
0003830358.tif 000014
【図１４】
0003830358.tif 000015
【図１５】
0003830358.tif 000016
【図１６】
0003830358.tif 000017
【図１７】
0003830358.tif 000018
【図１８】
0003830358.tif 000019
【図１９】
0003830358.tif 000020
【図２０】
0003830358.tif 000021
【図２１】
0003830358.tif 000022
【図２２】
0003830358.tif 000023
【図２３】
0003830358.tif 000024